(57)【特許請求の範囲】
【請求項１】
駆動源であるモータと、該モータによって回転される集塵ファンとを収納し、上方からみてほぼ円形状をなすヘッド部と、
該ヘッド部に取り付けられ、前記モータをオン・オフをするためのスイッチと、
前記ヘッド部に対応して上方にほぼ円形状の開口を有し、前記ヘッド部の下方に位置して、前記集塵ファンにより搬送される粉塵を収納するタンク部と、
該タンク部に設けられた接続部に、着脱自在に取り付けられるダクトホースと、
前記タンク部に前記ヘッド部を固定及び解除をするために、前記タンク部に設けられた１対のクランプ装置とを備えた集塵機において、
前記１対のクランプ装置の間であって、前記スイッチの下方に位置する前記ヘッド部の下端に、目視可能な凸部を設けると共に、
前記１対のクランプ装置の間であって、前記接続部の上方に位置する前記タンク部の上端に、前記ヘッド部と前記タンク部の位置を合わせるために、前記凸部と係合する目視可能な凹部を設け、
前記凸部及び凹部を前記スイッチと前記接続部との間に配置し、
前記タンク部に前記ヘッド部を前記クランプ装置により固定したときに、前記スイッチを設けた面と、前記凸部及び凹部と、前記接続部とが直線上に配列されるようにし、
前記クランプ装置により固定するときに、前記凸部と前記凹部との関係を目視しながら合わせ作業ができるようにしたことを特徴とする集塵機。
【請求項２】
駆動源であるモータと、該モータによって回転される集塵ファンとを収納し、上方からみてほぼ円形状をなすヘッド部と、該ヘッド部に取り付けられ、前記モータをオン・オフをするためのスイッチと、
前記ヘッド部に対応して上方にほぼ円形状の開口を有し、前記ヘッド部の下方に位置して、前記集塵ファンにより搬送される粉塵を収納するタンク部と、
該タンク部に設けられた接続部に、着脱自在に取り付けられるダクトホースと、
前記タンク部に、前記ヘッド部を固定及び解除をするために前記タンク部に設けられた１対のクランプ装置とを備えた集塵機において、
前記１対のクランプ装置の間であって、前記スイッチの下方に位置する前記ヘッド部の下端に、目視可能な凹部を設けると共に、
前記１対のクランプ装置の間であって、前記接続部の上方に位置する前記タンク部の上端に、前記ヘッド部と前記タンク部の位置を合わせるために、前記凹部と係合する目視可能な凸部を設け、
前記凸部及び凹部を前記スイッチと前記接続部との間に配置し、
前記タンク部に前記ヘッド部を前記クランプ装置により固定したときに、前記スイッチを設けた面と、前記凸部及び凹部と、前記接続部とが直線上に配列されるようにし、
前記クランプ装置により固定するときに、前記凸部と前記凹部との関係を目視しながら合わせ作業ができるようにしたことを特徴とする集塵機。
【発明の詳細な説明】
【０００１】
【発明の属する技術分野】
本発明は、吸引した粉塵等を溜めるためのタンク部と、モータ等を収納するヘッド部とが着脱可能な可搬形の集塵機に関するものであり、特に上記集塵機のタンク部に対するヘッド部の位置決め構造に関するものである。
【０００２】
【従来の技術】
従来の集塵機を図５〜図７を用いて説明する。図５は従来の集塵機を示す正面図、図６は図５に示す集塵機の左側面図、図７は図６に示す集塵機の平面図である。図５〜図７に示すように一般的な可搬形の集塵機は、図示しないダクトホース内を通り搬送されてくる粉塵や液体等を収納するためのタンク部５を有していると共に、このタンク部５に対して駆動源であるモータ等を有するヘッド部４が着脱可能に設けられており、タンク５内に溜まった粉塵等はタンク部５に対してヘッド部４を離脱した後に廃棄できるよう構成されている。
【０００３】
上記ヘッド部４には、モータにより回転される集塵ファン及び当該モータの起動・停止を行うスイッチ３等が設けられており、更にヘッド部４はモータと集塵ファンの形状により上方から見てほぼ円形状になっていると共に、ヘッド部４に対応してタンク部５上方の開口部もほぼ円形状になっている。
【０００４】
また、タンク部５には、ヘッド部４を固定・解除するためのクランプ装置９、粉塵等を搬送するためのダクトホースを着脱可能な接続部７等が設けられている。
【０００５】
このような構成において、スイッチ３をオンするとモータにより集塵ファンが回転し、タンク部５を介してダクトホース内に吸引力が生じ、この吸引力を利用してダクトホース内を通り粉塵等がタンク部５内に搬送され収納される。そして、タンク部５内の集塵等を廃棄する場合には、クランプ装置９を解除してヘッド部４を上方に持ち上げタンク部５から取り外し、タンク部５を横転させて溜まった粉塵等を廃棄している。廃棄後は立て直したタンク部５にヘッド部４を載置しクランプ装置９で自由な位置に固定している。
【０００６】
しかし、上述した集塵機において、作業者がタンク部５にヘッド部４を載置した場合、スイッチ３を有するほぼ円形のヘッド部４の回転方向を規制するものがないため、タンク部５のダクトホース接続部７とヘッド部４のスイッチ３取り付け面とが同一直線上に位置することが殆どなく、また作業者も意識して合わせることなく無意識のうちに組み込んでしまっているのが現状である。このためヘッド部４とタンク部５の組立後、集塵作業を行う時に作業者側にスイッチ３面が向いていないことに気づき、即ちダクトホースで集塵機本体を引きながら作業することからダクトホース接続側が作業者位置となるため、この位置にスイッチ３面がないと作業者は集塵機本体の後方に回り込んでスイッチ３を操作しなければならなかった。つまり、作業開始、途中中断、終了時の都度、スイッチ３を操作する必要があるため、適正な位置にスイッチ３面がないとスイッチ３のオン／オフに手間を要するため、操作性及び作業性の低下を招いてしまうという問題があった。
【０００７】
【発明が解決しようとする課題】
上述したように従来の集塵機には、タンク部に対してヘッド部を任意の箇所に位置決めするための手段がなかったため、タンク部に設けたダクトホースの接続部とヘッド部に設けたスイッチ面とが同一直線上に位置しない場合が多々あり、ダクトホース接続側にいる作業者がオン／オフ操作を行う場合にダクトホースの接続部側にスイッチ面がなく、わざわざ集塵機本体の後方に回り込んでスイッチを操作しなければならず、スイッチ３のオン／オフに手間を要するため、操作性及び作業性の低下を招いてしまうという問題があった。
【０００８】
本発明の目的は、上記問題を解消し、タンク部とヘッド部との位置決め手段を設け、ダクトホースの接続部とスイッチ面とを常に合わせることができるようにすることで、操作性及び作業性の向上を図ることである。
【０００９】
【課題を解決するための手段】
上記目的を達成するために本発明は、駆動源であるモータと、該モータによって回転される集塵ファンとを収納し、上方からみてほぼ円形状をなすヘッド部と、該ヘッド部に取り付けられ、前記モータをオン・オフをするためのスイッチと、前記ヘッド部に対応して上方にほぼ円形状の開口を有し、前記ヘッド部の下方に位置して、前記集塵ファンにより搬送される粉塵を収納するタンク部と、該タンク部に設けられた接続部に、着脱自在に取り付けられるダクトホースと、前記タンク部に前記ヘッド部を固定及び解除をするために、前記タンク部に設けられた１対のクランプ装置とを備えた集塵機において、前記１対のクランプ装置の間であって、前記スイッチの下方に位置する前記ヘッド部の下端に、目視可能な凸部を設けると共に、前記１対のクランプ装置の間であって、前記接続部の上方に位置する前記タンク部の上端に、前記ヘッド部と前記タンク部の位置を合わせるために、前記凸部と係合する目視可能な凹部を設け、前記凸部及び凹部を前記スイッチと前記接続部との間に配置し、前記タンク部に前記ヘッド部を前記クランプ装置により固定したときに、前記スイッチを設けた面と、前記凸部及び凹部と、前記接続部とが直線上に配列されるようにし、前記クランプ装置により固定するときに、前記凸部と前記凹部との関係を目視しながら合わせ作業ができるようにしたことに一つの特徴がある。
【００１０】
本発明の他の特徴は、駆動源であるモータと、該モータによって回転される集塵ファンとを収納し、上方からみてほぼ円形状をなすヘッド部と、該ヘッド部に取り付けられ、前記モータをオン・オフをするためのスイッチと、前記ヘッド部に対応して上方にほぼ円形状の開口を有し、前記ヘッド部の下方に位置して、前記集塵ファンにより搬送される粉塵を収納するタンク部と、該タンク部に設けられた接続部に、着脱自在に取り付けられるダクトホースと、前記タンク部に、前記ヘッド部を固定及び解除をするために前記タンク部に設けられた１対のクランプ装置とを備えた集塵機において、前記１対のクランプ装置の間であって、前記スイッチの下方に位置する前記ヘッド部の下端に、目視可能な凹部を設けると共に、前記１対のクランプ装置の間であって、前記接続部の上方に位置する前記タンク部の上端に、前記ヘッド部と前記タンク部の位置を合わせるために、前記凹部と係合する目視可能な凸部を設け、前記凸部及び凹部を前記スイッチと前記接続部との間に配置し、前記タンク部に前記ヘッド部を前記クランプ装置により固定したときに、前記スイッチを設けた面と、前記凸部及び凹部と、前記接続部とが直線上に配列されるようにし、
前記クランプ装置により固定するときに、前記凸部と前記凹部との関係を目視しながら合わせ作業ができるようにしたことにある。
【００１１】
【発明の実施の形態】
本実施例における集塵機を図１〜図４を用いて説明する。図１は本実施例における集塵機の一例を示す正面図、図２は図１に示す集塵機の左側面図、図３は図１に示す集塵機の右側面図、図４は図３に示す集塵機の平面図である。
【００１２】
図１〜図４において、集塵機は、駆動源であるモータ１と、このモータ１に直結された集塵ファン２及び上記モータの起動・停止を行うスイッチ３を有するヘッド部４と有しており、このヘッド部４はモータ１と集塵ファン２の形状により上方から見てほぼ円形状をしている。円形状をしたヘッド部４の下部には集塵した液体或いは粉塵等を溜めるためのタンク部５が配置されており、このタンク部５には粉塵等を搬送するためのダクトホース６を着脱する接続部７が適所に設けられている。また、タンク部５にはヘッド部４を固定・解除するためのクランプ装置９が設けられている。上記ヘッド部４下端の一部は下方に向けて突出するほぼＵ字形８に形成されており、これに対してタンク部５に設けたダクトホース６を着脱する接続部７上端の一部をＵ字形８に合わさる、即ちＵ字形８にならう凹部形状（Ｕ字溝）となっている。なお、前記Ｕ字形８の突出部と前記凹部形状は同一直線上に位置するようヘッド部４及びタンク部５のそれぞれに形成されている。
【００１３】
上記構成において、スイッチ３をオンするとモータ１が起動し、集塵ファン２が回転するためタンク部５を介してダクトホース６内に吸引力が発生する。粉塵等はこの吸引力によりダクトホース６を介してタンク部５内に搬送される。タンク部５内の集塵等を廃棄する場合には、クランプ装置９を解除してヘッド部４を上方に持ち上げタンク部５から取り外し、タンク部５ごと横に倒して溜まった粉塵等を廃棄することができる。廃棄後はタンク部５にヘッド部４を載置しクランプ装置９で固定するのだが、この時、上述した互いのＵ字形８を目安に合わせることで、タンク部５における接続部７のＵ字形８が案内部となり、タンク部５の接続部７の位置とヘッド部４のスイッチ３面とを常に同位置に合わせた状態（適正な状態）でクランプ装置９により固定することができる。
【００１４】
よって、常にスイッチ３面が作業者側に位置するため、スイッチ３の操作性が良く、作業性の向上が図れる。また、ヘッド部４における下端形状の変更とタンク部５のダクトホース接続部材の形状変更のみであり追加部品は一切ないため、安価な構成で且つ確実に位置決めを行える集塵機を提供することができる。
【００１５】
なお、ヘッド部４とタンク部５とを同位置に合わせるための形状として、上記ヘッド部４の下端の一部を上方に向けて逆Ｕ字形を形成させ、これにタンク部５に設けたダクトホース６を着脱する接続部７の上端部形状を逆Ｕ字形に合わせても良い。つまり、Ｕ字形の向きが逆に設けられていても同様の効果を得ることができる。更に、上述したＵ字形以外にＶ字形であっても良く、この他以外の形状であっても上記効果を奏する形状であれば足りる。また、ヘッド部４或いはタンク部５を形成する部材により一体的に突出部或いは凹部形状を形成する実施例について説明したが、上記突出部或いは凹部形状は、ヘッド部４或いはタンク部５を形成する部材とは別の部材で形成しても良い。
【００１６】
【発明の効果】
本発明によれば、ヘッド部の下端一部に下方へ向く突出部を設け、突出部に見合う凹部を接続部を有するタンク部に設けることで、ダクトホースの接続部とスイッチ面とを合わせることができ、スイッチの操作性が良く、作業性の向上が図れる。また、ヘッド部における下端形状の変更とタンク部のダクトホース接続部材の形状変更のみであり追加部品は一切ないため、安価な構成で且つ確実に位置決めを行える集塵機を提供することができる。
【００１７】
また、接続部を有するタンク部の上端一部に上方へ向く突出部を設け、突出部に見合う凹部をヘッド部の下端一部に設けることで、ダクトホースの接続部とスイッチ面とを合わせることができ、スイッチの操作性が良く、作業性の向上が図れる。また、ヘッド部における下端形状の変更とタンク部のダクトホース接続部材の形状変更のみであり追加部品は一切ないため、安価な構成で且つ確実に位置決めを行える集塵機を提供することができる。
【図面の簡単な説明】
【図１】  本発明になる集塵機の一例を示す正面図である。
【図２】  図１に示す集塵機の左側面図である。
【図３】  図１に示す集塵機の右側面図である。
【図４】  図３に示す集塵機の平面図である。
【図５】  従来の集塵機を示す正面図である。
【図６】  図５に示す集塵機の左側面図である。
【図７】  図６に示す集塵機の平面図である。
【符号の説明】
１はモータ、２は集塵ファン、３はスイッチ、４はヘッド部、５はタンク部、６はダクトホース、７は接続部、８はＵ字形である。
【図１】
0004614614.tif 000002
【図２】
0004614614.tif 000003
【図３】
0004614614.tif 000004
【図４】
0004614614.tif 000005
【図５】
0004614614.tif 000006
【図６】
0004614614.tif 000007
【図７】
0004614614.tif 000008